(57)【要約】【課題】乗客の快適性を向上させ、乗客の足もとを均一に暖めることができるバス車両の暖房装置を提供する。【解決手段】バス車両の暖房装置１０は、暖房用の温風を生成するヒータユニット１と、車室の前後方向に延びるように配設され、ヒータユニット１から供給される温風が流れるヒータダクト２と、車室の幅方向に隣接する一対のシート本体１２の中間に立設され、ヒータダクト２から分岐して一対のシート本体１２に温風を分配する立ち上がりダクト４と、一対のシート本体１２のそれぞれの着座部１４に埋設され、立ち上がりダクト４から分岐して、吹出口８からシート本体１２の前方に向けて温風を吹出す吹出ダクト６とを備え、吹出ダクト６は、シート本体１２の背もたれ部１６側に蛇腹構造１８を有して構成される。【選択図】  図１
2011126329.tif 000002
【特許請求の範囲】
【請求項１】
車室の前後方向に間隔を空けて多数配列されるシート本体を備えるバス車両の暖房装置であって、
暖房用の温風を生成するヒータユニットと、
前記車室の前後方向に延びるように配設され、前記ヒータユニットから供給される前記温風が流れるヒータダクトと、
前記車室の幅方向に隣接する一対の前記シート本体の中間に立設され、前記ヒータダクトから分岐して前記一対のシート本体に前記温風を分配する立ち上がりダクトと、
前記一対のシート本体のそれぞれの着座部に埋設され、前記立ち上がりダクトから分岐して、吹出口から前記シート本体の前方に向けて前記温風を吹出す吹出ダクトとを備え、
前記吹出ダクトは、前記シート本体の背もたれ部側に蛇腹構造を有することを特徴とするバス車両の暖房装置。
【請求項２】
前記吹出ダクトは、ゴムによって形成されることを特徴とする請求項１に記載のバス車両の暖房装置。
【請求項３】
前記吹出ダクトは、前記シート本体の着座部に沿って面状に広がる扁平形状であり、前記吹出口は、前記シート本体の下方に向けて開口していることを特徴とする請求項１又は２に記載のバス車両の暖房装置。
【発明の詳細な説明】
【技術分野】
【０００１】
本発明は、バス車両の暖房装置に係り、例えば、着座している乗客の足もとを暖める暖房装置に関する。
【背景技術】
【０００２】
バス車両の車室内を暖房するものとして、シート本体に着座している乗客の足もとを暖める暖房装置が一般に使用されている。
バス車両の暖房装置には、エンジンの冷却水の熱を利用して空気を暖めるヒータユニットが設けられている。このヒータユニットで生成される温風は、車室の側壁（窓側）に設けられるヒータダクト（暖房ダクト）を介してシート本体付近まで運ばれ、ヒータダクトに設けられるヒータノズルによって乗客の足もとに供給される。
【０００３】
しかし、上述の温風は、車室の側壁（窓側）から供給されるために、窓側に着席している乗客が障害となって、通路側の乗客に温風が行き届かない場合がある。そのため、通路側の乗客は暖房中であっても暖かさが感じられにくい。
そこで、通路側の乗客に対しても温風を供給することができる暖房装置の開発が望まれ、例えば、以下のような装置が提案されている。
【０００４】
特許文献１には、温風が流れるヒータダクトと、ヒータダクトによって運ばれる温風を乗客の足もとに吹出す吹出ダクトと、ヒータダクトと吹出ダクトとを連結する立ち上がりダクトとを備えた旅客運送用車両の足もと暖房構造が記載されている。
この足もと暖房構造では、立ち上がりダクトがシート本体の支脚を兼ねるように通路側に立設される。また、吹出ダクトが２座席一体型となるように隣接するシート本体の座面裏側でシート本体の幅方向に配設される。吹出ダクトには、隣接するシート本体のそれぞれの座面裏側から温風を吹出す吹出口が設けられており、吹出口から後方に着座する乗客の足もとに向って温風が吹出されるようになっている。
【０００５】
また、特許文献２には、特許文献１とは異なるダクト構造を備えた旅客運送用車両の足もと暖房構造が記載されている。
この足もと暖房構造では、立ち上がりダクトが車室側壁に沿って立設される。また、吹出ダクトが２座席一体型となるように隣接するシート本体の座面裏側でシート本体の幅方向に配設される。吹出ダクトには、隣接するシート本体のそれぞれの座面裏側から温風を吹出す吹出口が設けられており、吹出口から後方に着座する乗客の足もとに向って温風が吹出されるようになっている。
【０００６】
また、特許文献３には、シート本体の着座部の下方に、ヒータダクトからの温風を誘導する温風誘導棚を備えた車両の客席暖房ダクト装置が記載されている。この客席暖房ダクト装置では、ヒータダクトからの温風を吹出す温風吹出口が車室側壁に配設されており、温風吹出口に上述の温風誘導棚の一端を接続することによって、温風をシート本体の通路側、前側または後側にそれぞれ吹出すようになっている。
【先行技術文献】
【特許文献】
【０００７】
【特許文献１】実公昭６０−１０６８１５号公報
【特許文献２】実公昭６０−１２７２１１号公報
【特許文献３】実公昭５７−１１６５０５号公報
【発明の概要】
【発明が解決しようとする課題】
【０００８】
しかしながら、特許文献１に記載される足もと暖房構造では、立ち上がりダクトがシート本体の支脚を兼ねるように通路側に立設されているので、吹出ダクトから吹出す温風を窓側と通路側とで均等に分配することが難しい。
【０００９】
特許文献２に記載される足もと暖房構造では、立ち上がりダクトが車室側壁に沿って立設されているので、吹出ダクトから吹出す温風を窓側と通路側とで均等に分配することが難しい。
【００１０】
特許文献３に記載される客席暖房ダクト装置は、温風吹出口が車室側壁に配設されているために、温風誘導棚によって誘導される温風を窓側と通路側とで均等に分配することが難しい。
【００１１】
本発明は、上述の事情に鑑みてなされたものであり、乗客の快適性を向上させ、乗客の足もとを均一に暖めることができるバス車両の暖房装置を提供することを目的とする。
【課題を解決するための手段】
【００１２】
本発明に係るバス車両の暖房装置は、車室の前後方向に間隔を空けて多数配列されるシート本体を備えるバス車両の暖房装置であって、暖房用の温風を生成するヒータユニットと、前記車室の前後方向に延びるように配設され、前記ヒータユニットから供給される前記温風が流れるヒータダクトと、前記車室の幅方向に隣接する一対の前記シート本体の中間に立設され、前記ヒータダクトから分岐して前記一対のシート本体に前記温風を分配する立ち上がりダクトと、前記一対のシート本体のそれぞれの着座部に埋設され、前記立ち上がりダクトから分岐して、吹出口から前記シート本体の前方に向けて前記温風を吹出す吹出ダクトとを備え、前記吹出ダクトは、前記シート本体の背もたれ部側に蛇腹構造を有することを特徴とする。
【００１３】
このバス車両の暖房装置では、温風を分配する立ち上がりダクトが隣接する一対のシート本体の中間に立設されているので、温風を窓側と通路側とで均等に分配することができる。そのため、窓側の乗客と通路側の乗客とが温風を均等に享受することができる。よって、乗客の足もとを均一に暖めることができる。
【００１４】
また、吹出ダクトがシート本体の着座部に埋設されているので、ダクト構造とシート構造とを簡素化できる。
【００１５】
しかも、従来のシート本体では、着座部を支持するスプリングのきしみ音が問題になっていたが、本発明のバス車両の暖房装置では、吹出ダクトの蛇腹構造がスプリングとして機能するため、きしみ音の発生を防止することができる。また、スプリングと同様に、着座時の衝撃や車両からの振動を緩和することができ、乗客の快適性を向上させることができる。
【００１６】
上記バス車両の暖房装置において、前記吹出ダクトは、ゴムによって形成されることが好ましい。
これにより、上述の吹出ダクトは、着座時の衝撃や車両からの振動をより一層緩和することができ、乗客の快適性を向上させることができる。
【００１７】
また、前記吹出ダクトは、前記シート本体の着座部に沿って面状に広がる扁平形状であり、前記吹出口は、前記シート本体の下方に向けて開口していることが好ましい。
これにより、乗客がシート本体に着座して吹出ダクトが若干撓んだ場合であっても吹出口から吹出す温風が乗客に直接接触することを防ぐことができ、低温火傷を引き起こす可能性を低減させる。
【発明の効果】
【００１８】
本発明では、温風を分配する立ち上がりダクトが隣接する一対のシート本体の中間に立設されているので、温風を窓側と通路側とで均等に分配することができる。そのため、窓側の乗客と通路側の乗客とが温風を均等に享受することができる。よって、乗客の足もとを均一に暖めることができる。
【００１９】
また、吹出ダクトがシート本体の着座部に埋設されているので、ダクト構造とシート構造とを簡素化できる。
【００２０】
しかも、従来のシート本体では、着座部を支持するスプリングのきしみ音が問題になっていたが、本発明のバス車両の暖房装置では、吹出ダクトの蛇腹構造がスプリングとして機能するため、きしみ音の発生を防止することができる。また、スプリングと同様に、着座時の衝撃や車両からの振動を緩和することができ、乗客の快適性を向上させることができる。
【図面の簡単な説明】
【００２１】
【図１】バス車両の暖房装置におけるシート本体の組付け状態の一例を示す組立図である。
【図２】バス車両の暖房装置の一例を示す正面図である。
【図３】図２のＤ−Ｄ線断面図である。
【図４】バス車両の暖房装置の変形例を示す正面図である。
【発明を実施するための形態】
【００２２】
以下、添付図面に従って本発明の実施形態について説明する。但しこの実施形態に記載されている構成部品の寸法、材質、形状、その相対的配置等は特に特定的な記載がない限りは、この発明の範囲をそれに限定する趣旨ではなく、単なる説明例に過ぎない。
【００２３】
図１は、バス車両の暖房装置におけるシート本体の組付け状態の一例を示す組立図である。図２は、バス車両の暖房装置の一例を示す正面図である。図３は、図２のＤ−Ｄ線断面図である。
【００２４】
図１に示すように、バス車両の暖房装置１０は主として、ヒータユニット１と、ヒータダクト２と、立ち上がりダクト４と、吹出ダクト６とにより構成される。
なお、本実施形態の暖房装置１０が取り付けられるバス車両は、車室の前後方向（Ｘ方向）に間隔を空けて多数配列されるシート本体１２を備える。シート本体１２は、着座部（シートクッション）１４と、背もたれ部１６とを有する。
【００２５】
ヒータユニット１は、バス車両の任意の位置に設けられ、暖房用の温風を生成するものである。この暖房用の温風は、エンジンの冷却水の排熱を利用して空気を暖めることによってヒータユニット１で生成される。
【００２６】
ヒータダクト２は、図１に示すように、車室の前後方向（Ｘ方向）に延びるように配設され、上述のヒータユニット１から供給される温風が流れる。ここでは、ヒータダクト２が床面２４で仕切られる床下空間に配設される例を図示している。ヒータダクト２を床下空間に配設することにより、床面２４で仕切られる床上空間、すなわち居住空間が広くなるため、居住性が向上する。
【００２７】
立ち上がりダクト４は、車室の幅方向（Ｙ方向）に隣接する一対のシート本体１２の中間に立設される。
また、立ち上がりダクト４は、図２に示すように、ヒータダクト２から分岐して、一対のシート本体１２に温風を分配する。
【００２８】
吹出ダクト６は、図２に示すように、上述の一対のシート本体１２のそれぞれの着座部１４に埋設される。
【００２９】
また、吹出ダクト６は、図３に示すように、吹出口８と、蛇腹構造１８とを有する。
【００３０】
吹出口８は、立ち上がりダクト４から分岐された温風を、シート本体１２の前方に向けて吹出すものである。
この吹出口８から吹出す温風が障害物に遮られることなく乗客に供給されるので、温風が低温の場合であっても暖かさを感じることができる。そのため、乗客の快適性を向上させることができ、プレヒータ（予熱器）の稼働率を抑制することができ、燃料消費を低減できる。
なお、プレヒータとは、エンジンからの排熱が十分供給されない場合に稼働される予備的な加熱装置であって、燃料を燃焼させて温水（エンジン冷却水）を再加熱し、上述のヒータユニット１で用いる温水を供給する。
【００３１】
蛇腹構造１８は、シート本体１２の背もたれ部１６側に設けられ、着座時の衝撃や車両からの振動を緩和する。
【００３２】
この吹出ダクト６は、ゴムによって形成されることが好ましい。
これにより、上述の吹出ダクト６は、着座時の衝撃や車両からの振動をより一層緩和することができ、乗客の快適性を向上させることができる。
【００３３】
また、吹出ダクト６は、シート本体１２の着座部に沿って面状に広がる扁平形状であり、吹出口８は、シート本体１２の下方に向けて開口していることが好ましい。
これにより、乗客がシート本体１２に着座して吹出ダクト６が若干撓んだ場合であっても吹出口８から吹出す温風が乗客に直接接触することを防ぐことができ、低温火傷を引き起こす可能性を低減させる。
【００３４】
上記構成のバス車両の暖房装置１０では、温風を分配する立ち上がりダクト４が隣接する一対のシート本体１２の中間に立設されているので、温風を窓側と通路側とで均等に分配することができる。そのため、窓側の乗客と通路側の乗客とが温風を均等に享受することができる。よって、乗客の足もとを均一に暖めることができる。
【００３５】
また、吹出ダクト６がシート本体１２の着座部１４に埋設されているので、ダクト構造とシート構造とを簡素化できる。
【００３６】
しかも、吹出ダクト６の蛇腹構造１８がスプリングとして機能するため、きしみ音の発生を防止することができる。また、スプリングと同様に、着座時の衝撃や車両からの振動を緩和することができ、乗客の快適性を向上させることができる。
【００３７】
以上、本発明の一例において詳細に説明したが、本発明はこれに限定されず、本発明の要旨を逸脱しない範囲において、各種の改良や変形を行ってもよいのはいうまでもない。
【００３８】
例えば、上述の実施形態では、ヒータダクト２がバス車両の床下空間に配設される例について説明したが、ヒータダクト２が配設位置はこれに限定されない。
【００３９】
図４は、バス車両の暖房装置の変形例を示す正面図である。図４は、ヒータダクト２が車室側壁２２に沿って床面２４上に配置され、それに伴って導入ダクト２０が設けられる点が異なる。なお、図１および図２で説明したバス車両と同一の構成については、その詳細な説明を省略する。
【００４０】
図４に示すように、導入ダクト２０は、車室側壁２２に沿って床面２４に配置されるヒータダクト２と、立ち上がりダクト４とを接続しており、ヒータダクト２から分岐する温風を立ち上がりダクト４へ導くことができる。
これにより、ヒータダクト２が車室側壁２２側に設けられる場合であっても乗客の足もとを均一に暖めることができる。
【符号の説明】
【００４１】
１      ヒータユニット
２      ヒータダクト
４      立ち上がりダクト
６      吹出ダクト
８      吹出口
１０    暖房装置
１２    シート本体
１４    着座部（シートクッション）
１６    背もたれ部
１８    蛇腹構造
２０    導入ダクト
２２    車室側壁
２４    床面
【図１】
2011126329.tif 000003
【図２】
2011126329.tif 000004
【図３】
2011126329.tif 000005
【図４】
2011126329.tif 000006